(57)【要約】【課題】本発明は、短時間に補助発光手段の発光量を決めて、低照度で被写体が近い場合でも、良好な焦点調節が可能になる自動焦点調節技術を提供する。【解決手段】撮像装置１では、ＡＦ枠内の輝度の積算値の平均値ＡｖｅＹＩと、測定時のＡＦ補助光発光時の電流Ｉｍｅａｓｕｒｅと、輝度の積算値の目標値ＹＩＴａｒｇｅｔから、スキャン時のＡＦ補助光発光部３３を発光させるための電流値Ｉｓｃａｎを決定する。【選択図】図６
2014126791.tif 000002
【特許請求の範囲】
【請求項１】
撮影光学系を介して得られる被写体像光を光電変換して画像信号を生成する撮像手段と、
前記撮影光学系を移動させながら前記画像信号からＡＦ評価値を取得し、当該ＡＦ評価値に基づいて前記撮影光学系の合焦位置を検出する焦点調節手段と、
前記撮影光学系を移動させる際に被写体の全部又は一部を照明するための補助発光手段と、
前記撮影光学系の移動を開始させる前に前記補助発光手段を発光させたときの前記補助発光手段の発光光量または前記補助発光手段の電流値と、前記画像信号から得られる輝度の積算値の平均値と、当該輝度の積算値の目標値に基づいて、前記焦点調節手段による合焦位置の検出の際の前記補助発光手段の発光光量または前記補助発光手段の電流値を決定する制御手段を備えることを特徴とする自動焦点調節装置。
【請求項２】
前記制御手段は、前記焦点調節手段により合焦位置が検出できなかった場合、前記焦点調節手段による合焦位置の検出の際の前記補助発光手段の発光光量または前記補助発光手段の電流値の再設定を行わないことを特徴とする請求項１に記載の自動焦点調節装置。
【請求項３】
前記制御手段は、前記撮影光学系の移動を開始させる前に前記補助発光手段を発光させたときに前記画像信号から得られる輝度の積算値のうち所定値以上の値を用いて、前記焦点調節手段による合焦位置の検出の際の前記補助発光手段の発光光量または前記補助発光手段の電流値を決定することを特徴とする請求項１または２に記載の自動焦点調節装置。
【請求項４】
前記制御手段は、前記撮影光学系の移動を開始させる前に前記補助発光手段を発光させたときに前記画像信号から得られる輝度の積算値のうち、前記撮影光学系の移動を開始させる前に前記補助発光手段を発光させたときの前記補助発光手段の発光光量または前記補助発光手段の電流値に基づいて算出された所定値以上の値を用いて、前記焦点調節手段による合焦位置の検出の際の前記補助発光手段の発光光量または前記補助発光手段の電流値を決定することを特徴とする請求項３に記載の自動焦点調節装置。
【請求項５】
前記制御手段は、前記撮影光学系の移動を開始させる前に前記補助発光手段を発光させたときに前記画像信号から得られる輝度の積算値のうち、画面上部の領域から得られる値を用いて、前記焦点調節手段による合焦位置の検出の際の前記補助発光手段の発光光量または前記補助発光手段の電流値を決定することを特徴とする請求項１または２に記載の自動焦点調節装置。
【請求項６】
前記制御手段は、前記撮影光学系の移動を開始させる前に前記補助発光手段を発光させたときに前記画像信号から得られる輝度の積算値のうち、画面上部の領域から得られる値が所定値より小さい場合は、画面下部の領域から得られる値を用いて、前記焦点調節手段による合焦位置の検出の際の前記補助発光手段の発光光量または前記補助発光手段の電流値を決定することを特徴とする請求項５に記載の自動焦点調節装置。
【請求項７】
前記制御手段は、前記撮影光学系の移動を開始させる前に前記補助発光手段を発光させたときに前記画像信号から得られる輝度の積算値のうち、画面上部の領域から得られる値が所定値より小さい場合は、前記焦点調節手段による合焦位置の検出の際の前記補助発光手段の発光光量または前記補助発光手段の電流値を所定値にすることを特徴とする請求項５に記載の自動焦点調節装置。
【請求項８】
前記制御手段は、前記撮影光学系の移動を開始する前に前記補助発光手段を発光させたときに前記画像信号から得られる輝度の積算値のうち、画面上部の領域から得られる値の平均値が所定値より小さい場合は、画面上部の領域から得られる値の最大値を用いて、前記焦点調節手段による合焦位置の検出の際の前記補助発光手段の発光光量または前記補助発光手段の電流値を決定することを特徴とする請求項５に記載の自動焦点調節装置。
【請求項９】
前記制御手段は、前回と同じ条件で撮影されると判断された場合、前記撮影光学系の移動を開始する前に前記補助発光手段を発光させるときの前記補助発光手段の発光光量または前記補助発光手段の電流値を、前回の前記焦点調節手段による合焦位置の検出の際の前記補助発光手段の発光光量または前記補助発光手段の電流値とすることを特徴とする請求項１乃至３のいずれか１項に記載の自動焦点調節装置。
【請求項１０】
前記制御手段は、前記撮影光学系の移動を開始する前に前記補助発光手段を発光させるときの前記補助発光手段の発光光量または前記補助発光手段の電流値を、前記撮影光学系の焦点距離に応じて決めることを特徴とする請求項１または２に記載の自動焦点調節装置。
【請求項１１】
撮影光学系を介して得られる被写体像光を光電変換して画像信号を生成する撮像手段と、前記撮影光学系を移動させながら前記画像信号からＡＦ評価値を取得し、当該ＡＦ評価値に基づいて前記撮影光学系の合焦位置を検出する焦点調節手段と、前記撮影光学系を移動させる際に被写体の全部又は一部を照明するための補助発光手段とを備える自動焦点調節装置の自動焦点調節方法であって、
前記撮影光学系の移動を開始させる前に前記補助発光手段を発光させたときの前記補助発光手段の発光光量または前記補助発光手段の電流値と、前記画像信号から得られる輝度の積算値の平均値と、当該輝度の積算値の目標値に基づいて、前記焦点調節手段による合焦位置の検出の際の前記補助発光手段の発光光量または前記補助発光手段の電流値を決定することを特徴とする自動焦点調節方法。
【請求項１２】
請求項１１に記載の自動焦点調節方法を自動焦点調節装置または撮像装置に実行させるためのコンピュータに読み取り可能なプログラム。
【請求項１３】
請求項１乃至１０のいずれか１項に記載の自動焦点調節装置を備えることを特徴とする撮像装置。
【発明の詳細な説明】
【技術分野】
【０００１】
本発明は、自動焦点調節装置及び方法、撮像装置、並びにプログラムに関し、特に、撮像光学系を介して得られる被写体像光を光電変換する撮像素子により取得される画像信号を使用して、焦点調節を行う技術に関する。
【背景技術】
【０００２】
従来、低照度時の自動焦点検出時に発光されるＡＦ補助光に関する技術は各種提案されている。例えば、特許文献１では、補助光の発光量を制御する発光量制御手段が、フォーカスレンズがスキャン開始位置へ移動する間に、補助光を発光と非発光の各状態にしてフォーカス検出領域の明るさを取得し、該明るさからスキャン時の補助光の発光量を設定している。
【０００３】
また、特許文献２では、被写体から反射したＡＦ用の補助光をＣＣＤ５４によって測光し、この測光値が規定値以上の場合には、ＡＦ用の補助光を減光させると共に、フォーカス位置に基づいてＡＦ用の補助光の発光量を制御している。
【先行技術文献】
【特許文献】
【０００４】
【特許文献１】特開２００８−２１６７６３号公報
【特許文献２】特開２００８−４６２５５号公報
【発明の概要】
【発明が解決しようとする課題】
【０００５】
しかしながら、特許文献１では、ＡＦ補助光を発光と非発光の各状態にしてフォーカス検出領域の明るさを取得し、該取得した明るさからスキャンの際のＡＦ補助光の発光量を設定しているため、複数のフレームの画像が必要である。また、その間にＡＦ補助光の発光制御を行うため、スキャンの際のＡＦ補助光の発光量を設定するためのデータを取得するのに多くの時間を必要としてしまう。
【０００６】
特許文献２では、撮影レンズのフォーカス位置に基づいてＡＦ用の補助光の発光量を制御するため、スキャン中にＡＦ用の補助光の発光量が変化してしまうと問題がある。
【０００７】
本発明は、上記問題に鑑みて成されたものであり、短時間に補助発光手段の発光量を決めて、低照度で被写体が近い場合でも、良好な焦点調節が可能になる自動焦点調節技術を提供することを目的とする。
【課題を解決するための手段】
【０００８】
上記目的を達成するために、本発明の技術的特徴としては、撮影光学系を介して得られる被写体像光を光電変換して画像信号を生成する撮像手段と、前記撮影光学系を移動させながら前記画像信号からＡＦ評価値を取得し、当該ＡＦ評価値に基づいて前記撮影光学系の合焦位置を検出する焦点調節手段と、前記撮影光学系を移動させる際に被写体の全部又は一部を照明するための補助発光手段とを備える自動焦点調節装置の自動焦点調節方法であって、前記撮影光学系の移動を開始させる前に前記補助発光手段を発光させたときの前記補助発光手段の発光光量または前記補助発光手段の電流値と、前記画像信号から得られる輝度の積算値の平均値と、当該輝度の積算値の目標値に基づいて、前記焦点調節手段による合焦位置の検出の際の前記補助発光手段の発光光量または前記補助発光手段の電流値を決定することを特徴とする。
【発明の効果】
【０００９】
本発明によれば、短時間に補助発光手段の発光量を決めて、低照度で被写体が近い場合でも、良好な焦点調節が可能になる。
【図面の簡単な説明】
【００１０】
【図１】本発明の第１の実施形態に係る自動焦点調節装置が搭載された撮像装置の内部構成の一例を示すブロック図である。
【図２】撮像装置１における撮像動作の流れを示すフローチャートである。
【図３】図２のステップＳ４におけるスキャンＡＦ処理の詳細を示すフローチャートである。
【図４】図３のステップＳ３０３における測定時のＡＦ補助光発光電流の設定処理の詳細を示すフローチャートである。
【図５】（ａ）〜（ｃ）ＡＦ枠の設定位置の一例を示す図である。
【図６】第１の実施形態の図３のステップＳ３０９におけるスキャン時のＡＦ補助光発光電流の設定処理の詳細を示すフローチャートである。
【図７】本発明の第２の実施形態におけるスキャン時のＡＦ補助光発光電流の設定処理の流れを示すフローチャートである。
【図８】本発明の第３の実施形態におけるスキャン時のＡＦ補助光発光電流の設定処理の流れを示すフローチャートである。
【発明を実施するための形態】
【００１１】
以下、本発明の実施の形態を図面を参照して詳細に説明する。
【００１２】
［第１の実施形態］
図１は、本発明の第１の実施形態に係る自動焦点調節装置が搭載された撮像装置の内部構成の一例を示すブロック図である。
【００１３】
撮像装置１は、以下に説明する各部を備える。すなわち、撮影レンズ鏡筒３１は、ズームレンズ群２、フォーカスレンズ群３、ズームレンズ群２やフォーカスレンズ群３等からなる撮影光学系を透過する光束の量を制御する光量調節手段であり露出手段である絞り４等からなる。
【００１４】
センサー５は、受光面上に撮影光学系により結像される被写体像光を光電変換して電気信号を生成する固体撮像素子である。撮像回路６は、センサー５によって生成された電気信号を受信して各種の画像処理を施すことにより所定の画像信号を生成する。
【００１５】
Ａ／Ｄ変換回路７は、撮像回路６により生成されたアナログ画像信号をデジタル画像信号に変換する。ＶＲＡＭ８は、Ａ／Ｄ変換回路７から出力されたデジタル画像信号を一時的に記憶するバッファメモリ等である。Ｄ／Ａ変換回路９は、ＶＲＡＭ８に記憶されたデジタル画像信号を読み出して、これをアナログ信号に変換すると共に、再生出力に適する形態の画像信号に変換する。
【００１６】
ＬＣＤ１０は、Ｄ／Ａ変換回路９から出力された画像信号を表示する液晶表示装置（ＬＣＤ）等の画像表示装置である。記憶用メモリ１２は、フラッシュメモリ等の固定型の半導体メモリ等からなり、画像データを記憶する。なお、記憶用メモリ１２は、装置に対して着脱自在に形成されたカード形状やスティック形状の半導体メモリであっても、ハードディスク等の磁気記憶媒体であってもよい。
【００１７】
圧縮／伸長回路１１は、ＶＲＡＭ８に一時記憶された画像信号を読み出して記憶用メモリ１２に対する記憶に適した形態にするために画像データの圧縮処理や符号化処理を施す。また、圧縮／伸長回路１１は、記憶用メモリ１２に記憶された画像データを再生表示等をするのに最適な形態とするための復号化処理や伸長処理等を施す。
【００１８】
ＡＥ処理回路１３は、Ａ／Ｄ変換回路７からの出力を受けて自動露出（ＡＥ）処理を行う。スキャンＡＦ処理回路１４は、Ａ／Ｄ変換回路７からの出力を受けてＡＦ評価値生成する自動焦点調節（ＡＦ）処理を行う。
【００１９】
ＣＰＵ１５は、撮像装置１の制御を行う演算用のメモリを内蔵した中央処理装置であり、電池２６から電力の供給を受ける。ＴＧ１６は、所定のタイミング信号を発生するタイミングジェネレータであり、撮像回路６とセンサードライバー１７にタイミング信号を送信する。
【００２０】
絞り駆動モータ２１は、絞り４を駆動する。フォーカス駆動モータ２２は、フォーカスレンズ群３を駆動する。ズーム駆動モータ２３は、ズームレンズ群２を駆動する。第一モータ駆動回路１８は、絞り駆動モータ２１を駆動制御する。第二モータ駆動回路１９は、フォーカス駆動モータ２２を駆動制御する。第三モータ駆動回路２０は、ズーム駆動モータ２３を駆動制御する。
【００２１】
ＥＥＰＲＯＭ２５は、各種制御等を行うプログラムや各種動作を行わせるために使用するデータ等が予め記憶されている電気的に書き換え可能な読み出し専用メモリである。ＬＥＤ２９は、警告表示などを行うＬＥＤなどの表示素子である。
【００２２】
スイッチング回路２７は、ストロボ発光部２８の閃光発光を制御する。ＡＦ補助光発光部３３は、ＡＦ評価値を取得する際に被写体の全部または一部を照明するための補助発光手段であり、ＬＥＤなどの光源で構成される。ＡＦ補助光駆動回路３２は、ＡＦ補助光発光部３３を駆動する。
【００２３】
スピーカー３０は、音声によるガイダンスや警告などを行う。振れ検出回路３４は、手振れなどを検出する振れ検出センサー３５の信号を処理する。顔検出回路３６は、Ａ／Ｄ変換回路７からの出力を受けて画面上での顔位置や顔の大きさなどを検出する。
【００２４】
操作スイッチ２４は、撮像装置１を起動するための主電源スイッチや撮影動作を開始させるためのレリーズスイッチ、再生動作を開始させるための再生スイッチ、撮影光学系のズームレンズ群２を移動させズームを行わせるズームスイッチ等が含まれる。このレリーズスイッチは、撮影動作前のＡＥ処理やＡＦ処理の開始指示信号を発生する第一ストローク（以下「ＳＷ１」）と、実際の露光動作を開始させる指示信号を発生する第二ストローク（以下「ＳＷ２」）との二段スイッチにより構成される。
【００２５】
次に、撮像装置１における撮影動作について説明する。
【００２６】
まず、撮影レンズ鏡筒３１を透過した被写体光束は、絞り部４によってその光量が調節された後、センサー５の受光面に結像される。この被写体像は、センサー５による光電変換処理により電気的な信号に変換され撮像回路６に出力される。撮像回路６では、入力した信号に対して各種の信号処理が施され、所定の画像信号が生成される。この画像信号は、Ａ／Ｄ変換回路７に出力され、デジタル信号（画像データ）に変換された後、ＶＲＡＭ８に一時的に格納される。ＶＲＡＭ８に格納された画像データは、Ｄ／Ａ変換回路９でアナログ信号に変換され表示するのに適した形態の画像信号に変換された後、ＬＣＤ１０に画像として表示される。ここまでの動作は、後述する図２のステップＳ１における動作の流れである。
【００２７】
一方、ＶＲＡＭ８に格納された画像データは、圧縮／伸長回路１１にも出力される。この圧縮／伸長回路１１における圧縮回路によって圧縮処理が行われた後、記憶に適した形態の画像データに変換され、記憶用メモリ１２に記憶される。
【００２８】
操作スイッチ２４のうち不図示の再生スイッチが操作されＯＮ状態になると、再生動作が開始される。すると記憶用メモリ１２に圧縮された形で記憶された画像データは圧縮／伸長回路１１に出力され、復号化処理や伸長処理等が施された後、ＶＲＡＭ８に一時的に記憶される。更に、この画像データは、Ｄ／Ａ変換回路９でアナログ信号に変換され表示するのに適した形態の画像信号に変換された後、ＬＣＤ１０に画像として表示される。
【００２９】
Ａ／Ｄ変換回路７によってデジタル化された画像データは、上述のＶＲＡＭ８とは、別にＡＥ処理回路１３、スキャンＡＦ処理回路１４及び顔検出回路３６に対しても出力される。
【００３０】
ＡＥ処理回路１３では、入力されたデジタル画像信号を受けて、一画面分の画像データの輝度値に対して累積加算等の演算処理が行われる。これにより、被写体の明るさに応じたＡＥ評価値が算出される。このＡＥ評価値はＣＰＵ１５に出力される。
【００３１】
スキャンＡＦ処理回路１４では、入力されたデジタル画像信号を受けて、画像データの高周波成分がハイパスフィルター（ＨＰＦ）等を介して抽出され、更に累積加算等の演算処理を行い、高域側の輪郭成分量等に対応するＡＦ評価値信号が算出される。具体的には、スキャンＡＦ処理はＡＦ領域として指定された画面の一部分の領域に相当する画像データの高周波成分をハイパスフィルター（ＨＰＦ）等を介して抽出し、更に累積加算等の演算処理を行う。これにより、高域側の輪郭成分量等に対応するＡＦ評価値信号が算出される。このＡＦ領域は、中央部分或いは画面上の任意の部分の一箇所である場合や、中央部分或いは画面上の任意の部分とそれに隣接する複数箇所である場合、離散的に分布する複数箇所である場合などがある。
【００３２】
このように、スキャンＡＦ処理回路１４は、ＡＦ処理を行う過程において、センサー５によって生成された画像信号から所定の高周波成分を検出する高周波成分検出手段の役割を担っている。
【００３３】
顔検出回路３６では、入力されたデジタル画像信号を受けて、目、眉などの顔を特徴付ける部分を画像上で探索し、人物の顔の画像上での位置を求める。更に顔の大きさや傾きなど顔を特徴付ける部分の間隔などの位置関係から求める。
【００３４】
一方、ＴＧ１６から所定のタイミング信号がＣＰＵ１５、撮像回路６、センサードライバー１７へ出力されており、ＣＰＵ１５はこのタイミング信号に同期させて各種の制御を行う。撮像回路６は、ＴＧ１６からのタイミング信号を受け、これに同期させて色信号の分離等の各種画像処理を行う。センサードライバー１７は、ＴＧ１６のタイミング信号を受けこれに同期してセンサー５を駆動する。
【００３５】
ＣＰＵ１５は、第一モータ駆動回路１８、第二モータ駆動回路１９、第三モータ駆動回路２０を各々制御して、絞り駆動モータ２１、フォーカス駆動モータ２２、ズーム駆動モータ２３により、絞り４やフォーカスレンズ群３、ズームレンズ群２を駆動制御する。すなわち、ＣＰＵ１５は、ＡＥ処理回路１３において算出されたＡＥ評価値等に基づき第一モータ駆動回路１８を制御して絞り駆動モータ２１を駆動し、絞り４の絞り量を適正になるように調節するＡＥ制御を行う。
【００３６】
また、ＣＰＵ１５は、スキャンＡＦ処理回路１４において算出されるＡＦ評価値信号に基づき第二モータ駆動回路１９を制御してフォーカス駆動モータ２２を駆動し、フォーカスレンズ群３を合焦位置に移動させるＡＦ制御を行う。
【００３７】
また、操作スイッチ２４のうち不図示のズームスイッチが操作された場合、ＣＰＵ１５は、第三モータ駆動回路２０を制御してズーム駆動モータ２３を駆動制御することによりズームレンズ群２を移動させ、撮影光学系の変倍動作（ズーム動作）を行う。
【００３８】
次に、撮像装置１における撮影動作を図２を用いて説明する。なお、本実施形態では、フォーカスレンズ群３を所定位置に駆動しながらＡＦ評価値を取得する動作をスキャン、合焦位置を検出するための画像信号を取得する領域をＡＦ枠と呼ぶ。
【００３９】
図２は、撮像装置１における撮像動作の流れを示すフローチャートである。
【００４０】
撮像装置１の主電源スイッチ（不図示）がＯＮ状態であり、かつ撮像装置１の動作モードが撮影（録画）モードにあるときは、撮影処理シーケンスが実行され、センサー５等に電源を供給して撮像を可能にする。
【００４１】
まず、ステップＳ１では、ＣＰＵ１５は、上述したように、撮影レンズ鏡筒３１を透過してセンサー５上に結像した被写体像をＬＣＤ１０に画像として表示する。
【００４２】
次に、ステップＳ２では、ＣＰＵ１５は、レリーズスイッチ（不図示）の状態を確認する。具体的には、撮影者によってレリーズスイッチが操作され、ＳＷ１がＯＮ状態になったことをＣＰＵ１５が確認すると、次のステップＳ３に進み、通常のＡＥ処理が実行される。
【００４３】
次に、ステップＳ４では、合焦位置を検出するためのスキャンＡＦ処理が行われる。スキャンＡＦ処理の詳細については後述する。
【００４４】
スキャンＡＦ処理の結果、合焦可能と判断された場合、ＣＰＵ１５はＡＦＯＫ表示を行う（ステップＳ５）。このＡＦＯＫ表示とは、例えばＬＥＤ２９を点灯することにより行う。ＬＥＤ２９の点灯と同時に、ＬＣＤ１０上に緑の枠（不図示）を表示してもよい。
【００４５】
一方、ステップＳ４において合焦不可能と判断された場合、ＣＰＵ１５はＡＦＮＧ表示を行う（ステップＳ５）。このＡＦＮＧ表示とは、例えばＬＥＤ２９を点滅することにより行う。ＬＥＤ２９の点滅と同時に、ＬＣＤ１０上に黄色の枠（不図示）を表示してもよい。
【００４６】
ステップＳ６では、ＣＰＵ１５は、レリーズスイッチの状態を確認し、ＳＷ２がＯＮになっていたならば、ステップＳ７に進み、実際の露光処理を実行する。ステップＳ７以降の処理は省略する。
【００４７】
次に、図２のステップＳ４におけるスキャンＡＦ処理の詳細を図３を用いて説明する。
【００４８】
図３は、図２のステップＳ４におけるスキャンＡＦ処理の詳細を示すフローチャートである。
【００４９】
まず、ステップＳ３０１では、ＡＦを行う際の前処理が行われる。ここでは、ＥＶＦ表示とＡＦ処理におけるセンサーの駆動モードが異なる場合は、駆動モードの変更が行われる。また、ＥＶＦ表示とＡＦ処理で絞り値やシャッター速度、センサー感度を変更する必要がある場合は、それらの変更が行われる。さらに、ＡＦ処理で使用する変数の初期化なども行われる。
【００５０】
次に、ステップＳ３０２では、ＣＰＵ１５は、ＡＦ補助光発光条件を満足しているか否かを判定する。ＡＦ補助光発光条件を満足していないと判定した場合はステップＳ３０５へ進み、ＡＦ補助光発光条件を満足すると判定した場合はステップＳ３０３へ進む。ＡＦ補助光発光条件を満足するとは、図２のステップＳ３で行われたＡＥ処理の結果、所定より暗い照度であると判定され、かつ撮影者によりＡＦ補助光発光が許可され、かつＡＦ補助光発光を行わない撮影モードに設定されていない場合である。例えば、水族館モード（水槽内の展示生物の保護のため発光が禁止）、遠景モード（ＡＦ補助光到達距離より遠い被写体を撮影するため発光を行わない）などの撮影モードが該当する。
【００５１】
ステップＳ３０３では、測定時のＡＦ補助光発光電流の設定処理が行われる。測定時のＡＦ補助光発光電流の設定処理の詳細については後述する。
【００５２】
ステップＳ３０４では、ステップＳ３０３で設定された電流でＡＦ補助光発光部３３の発光が行われる。続いて、ステップＳ３０５では、フォーカスレンズ群３がスキャン開始位置へ向けて駆動される。
【００５３】
ステップＳ３０６では、ＣＰＵ１５は、フォーカスレンズ群３がスキャン開始位置へ到達したか否かを判定し、到達したと判定した場合はフォーカスレンズ群３の駆動を停止し、ステップＳ３０７へ進む。一方、スキャン開始位置へ到達していないと判定した場合はステップＳ３０５へ戻り、フォーカスレンズ群３がスキャン開始位置へ到達するまで処理を継続する。
【００５４】
ステップＳ３０７では、ステップＳ３０２と同様に、ＣＰＵ１５は、ＡＦ補助光発光条件を満足しているか否かを判定する。ＡＦ補助光発光条件を満足していないと判定した場合はステップＳ３１０へ進む。一方、ＡＦ補助光発光条件を満足すると判定した場合はステップＳ３０８へ進む。
【００５５】
ステップＳ３０８では、ＣＰＵ１５は、フォーカスレンズ群３がスキャン開始位置にあるときの所定のＡＦ枠内の輝度の積算値（ＡＦ評価値）を取得する。
【００５６】
次に、ステップＳ３０９では、スキャン時のＡＦ補助光発光電流の設定処理が行われる。この処理の詳細については後述する。
【００５７】
ステップＳ３１０では、フォーカスレンズ群３がスキャン終了位置へ向けて駆動され、ステップＳ３１１では、その間のＡＦ評価値が取得される。
【００５８】
次に、ステップＳ３１２では、ＣＰＵ１５は、フォーカスレンズ群３がスキャン終了位置へ到達したか否かを判定し、到達していないと判定した場合はステップＳ３１０へ戻り処理を継続する。一方、スキャン終了位置へ到達したと判定した場合、ステップＳ３１３で合焦判定を行い、合焦していると判定した場合はステップＳ３１４へ進み、合焦していないと判定した場合はステップＳ３１６へ進む。この合焦判定方法については、特登録０４２３５４２２や特登録０４１８５７４１に記載されているので、その説明は割愛する。
【００５９】
ステップＳ３１４では、合焦位置検出のために、ＡＦ評価値が最大になったときのフォーカスレンズ群３の位置と、その前後のＡＦ評価値を取得したフォーカスレンズ群３の位置と、それぞれのフォーカスレンズ群３の位置におけるＡＦ評価値から合焦位置を求める。フォーカスレンズ群３の位置がＸ１のときにＡＦ評価値が最大になり、その値がＹ１であり、その前後の位置Ｘ２，Ｘ３で取得したＡＦ評価値がＹ２，Ｙ３のとき、合焦位置Ｘ０は下式から求められる。但し、Ｙ１＞Ｙ３、Ｙ１≧Ｙ２である。
Ｘ０＝（Ｙ３−Ｙ２）・Ｘ１＋（Ｙ３−Ｙ１）・Ｘ２＋（Ｙ２−Ｙ１）・Ｘ３／２・（Ｙ２−Ｙ１）
【００６０】
次に、ステップＳ３１５では、ＣＰＵ１５は、第二モータ駆動回路１９を制御してフォーカス駆動モータ２２を駆動し、フォーカスレンズ群３を合焦位置に駆動する。
【００６１】
ステップＳ３１６では、ＣＰＵ１５は、定点と呼ばれる予め定められたフォーカスレンズ群３の制御位置へ駆動する。なお、図示はしないが、スキャン終了後にＡＦ補助光発光部３３を消灯する。
【００６２】
次に、スキャン開始前に実行される測定時のＡＦ補助光発光電流の設定について説明する。
【００６３】
図４は、図３のステップＳ３０３における測定時のＡＦ補助光発光電流の設定処理の詳細を示すフローチャートである。
【００６４】
ステップＳ４０１では、ＣＰＵ１５は、前回参照条件を満足しているか判定する。連続して同じ被写体を撮影して前回の撮影で合焦している場合は同じ条件で撮影すれば、再び合焦する確率が高い。そこで、前回合焦時からの経過時間、前回合焦時との明るさ、焦点距離、撮影者の設定する撮影モード、絞り値、シャッター速度などを比較すること、前回合焦時と同じ条件下で同じ被写体を撮影しているかを判断する。その結果、前回と同じ条件下で撮影されると判断された場合は、ステップＳ４０２へ進み、同じ条件下で撮影されていないと判断された場合は、ステップＳ４０３に進む。
【００６５】
ステップＳ４０２では、測定時のＡＦ補助光発光電流値を前回合焦時と同じ値に設定してリターンする。
【００６６】
ステップＳ４０３では、ＣＰＵ１５は、設定されているズームポジション（焦点距離）が所定値以上か否かを判定する。所定値以上すなわち所定のズームポジションより望遠側にズームポジションが設定されていると判定した場合は、ステップＳ４０４へ進み、ＣＰＵ１５は測定時のＡＦ補助光発光電流値をＩ＿ＬＥＤ１に設定してリターンする。一方、所定値未満の場合はステップＳ４０５に進み、ＣＰＵ１５は測定時のＡＦ補助光発光電流値をＩ＿ＬＥＤ２に設定してリターンする。
【００６７】
Ｉ＿ＬＥＤ１とＩ＿ＬＥＤ２の関係はＩ＿ＬＥＤ１＞Ｉ＿ＬＥＤ２である。例えば、Ｉ＿ＬＥＤ１＝１００ｍＡの場合はＩ＿ＬＥＤ２＝５０ｍＡとする。このように、Ｉ＿ＬＥＤ１は、Ｉ＿ＬＥＤ２の２倍程度の値に設定することが望ましい。
【００６８】
上述した所定のズームポジションは、至近の撮影距離がその前後で変わるポジションである。例えば、Ｍ４９よりＷｉｄｅ側は３０ｃｍまでの撮影が可能であり、Ｍ５０から望遠側は５０ｃｍまでしか撮影ができない場合、Ｍ５０を所定値とする。Ｍ４９よりＷｉｄｅ側のズームポジションは、５０ｃｍより近側の被写体を撮影する可能性があるため、測定時のＡＦ補助光発光電流を少なくして、測定時にＡＦ補助光発光部３３の発光により画像信号が飽和しないようにする。一方、Ｍ５０よりＴｅｌｅ側のズームポジションでは５０ｃｍより遠側でしか撮影を行わないため、測定時のＡＦ補助光発光電流を高くしても測定時にＡＦ補助光発光部３３の発光により画像信号が飽和する可能性は低い。そのため、遠側の被写体においてもＡＦ補助光の反射光が受光できるように電流量は多めにする。
【００６９】
次に、スキャン開始前に実行されるスキャン時のＡＦ補助光発光電流の設定について説明する。
【００７０】
図５（ａ）〜図５（ｃ）は、ＡＦ枠の設定位置の一例を示す図である。
【００７１】
１つのＡＦ枠を設定する場合でも、図５（ａ）に示すように、中央に１点に設定される場合もあれば、任意の位置に設定される場合もある。これらのＡＦ枠の大きさは、予め定められた基準値があって変更されることは無い。
【００７２】
一方、顔検出結果に基づいて１つのＡＦ枠が設定される場合は、ＡＦ枠の位置や大きさが顔検出結果に依存するため、撮影毎にＡＦ枠の位置や大きさが変わる可能性がある。
【００７３】
また、複数のＡＦ枠を設定するＡｉＡＦの場合は、図５（ｂ）に示すように、中央に１点の場合と同じ大きさのＡＦ枠を画面中央に複数配置するＡｉＡＦ３×３点の場合がある。さらに、図５（ｃ）に示すように、中央に１点の場合よりも大きさが小さいＡＦ枠を画面の大部分に複数配置するＡｉＡＦ７×９点の場合がある。
【００７４】
そこで、図３のステップＳ３０８では、ＣＰＵ１５は、設定されたそれぞれのＡＦ枠に対して、各ＡＦ枠内の輝度の積算値を取得して所定の記憶領域に記録する。例えば、ＡＦ枠が１点の場合は、その枠内の輝度の積算値を取得して所定の記憶領域に記録する。一方、ＡｉＡＦ３×３点やＡｉＡＦ７×９点のように複数のＡＦ枠が配置されている場合は、全てのＡＦ枠に対してそれぞれのＡＦ枠内の輝度の積算値を取得して所定の記憶領域に記録する。すなわち、ＡｉＡＦ３×３点であれば９個のＡＦ枠内の輝度の積算値を、ＡｉＡＦ７×９点であれば６３個のＡＦ枠内の輝度の積算値を取得して所定の記憶領域に記録する。
【００７５】
図６は、第１の実施形態の図３のステップＳ３０９におけるスキャン時のＡＦ補助光発光電流の設定処理の詳細を示すフローチャートである。
【００７６】
ステップＳ６０１では、ＣＰＵ１５は、ＡＦ枠を「枠＝００枠」と初期化する。
【００７７】
次に、ステップＳ６０２では、ＣＰＵ１５は、演算時に用いる変数ＳｕｍＹＩ，Ｎｕｍ＿ＳｕｍＹＩ，ＳｕｂＹＩ，Ｎｕｍ＿ＳｕｂＹＩを０に初期化する。
【００７８】
ステップＳ６０３では、ＣＰＵ１５は、該当するＡＦ枠の輝度の積算値を記憶領域から読み出す。この積算値をＹＩ（ｍ，ｎ）とする。ｍ，ｎは枠の位置を表わす添え字で、００枠の輝度の積算値はＹｉ（０，０）となる。
【００７９】
ステップＳ６０４では、ＣＰＵ１５は、輝度の積算値ＹＩ（ｍ，ｎ）をＡＦ枠の画素数で正規化する。ＡＦ補助光発光電流値の設定にはＡＦ枠内の輝度の積算値が使用されるので、同じ光量が被写体から反射し受光してもＡＦ枠内の画素数が多ければ輝度の積算値が大きくなり、画素数が少なければ積算値も小さくなる。そこで、正しい評価を行うために、単位画素数あたりの輝度の積算値に正規化する必要がある。
【００８０】
まず、ＣＰＵ１５は、スキャンの際のセンサー５の読み出しライン数、水平方向の読み出し加算数、並びにＡＦ枠の垂直及び水平方向の大きさを取得する。例えば、通常照度時の読み出しモードの全画面での読み出しライン数が４００本、非加算時の水平方向の読み出し画素数が８００、水平方向の画素加算数が２画素、中央１点ＡＦの場合のＡＦ枠の大きさが全画面に対して２０％×２０％とする。この場合、ＡＦ枠内の画素数は、下式で求められ、その値は８０×８０＝６４００画素となる。
ｍｎ枠内の画素数＝４００（本）×０．２（２０％）×８００（画素）÷２（加算数）×０．２（２０％）
＝６４００（画素）
【００８１】
そして、この通常照度時の中央１点ＡＦの画素数を基準の画素数ＰｉｘｌＢａｓｅとする。
【００８２】
また、正規化されたｍｎ枠における輝度の積算値ＮｏｒＹＩ（ｍ，ｎ）は、基準の画素数ＰｉｘｌＢａｓｅとの比で求めると下式となる。
ＮｏｒＹＩ（ｍ，ｎ）＝ＹＩ（ｍ，ｎ）÷ｍｎ枠内の画素数×ＰｉｘｌＢａｓｅ
【００８３】
例えば、ＡｉＡＦ７×９点の場合、ＡＦ枠の大きさが全画面に対して１２％×１０％ならば、通常照度では下式となる。
ｍｎ枠内の画素数＝４００（本）×０．１２（１２％）×８００÷２（加算数）×０．１（１０％）
＝１９２０（画素）
ＮｏｒＹＩ（ｍ，ｎ）＝ＹＩ（ｍ，ｎ）÷１９２０×ＰｉｘｌＢａｓｅ（６４００）
≒３．３×ＹＩ（ｍ，ｎ）
【００８４】
このように、正規化した輝度の積算値ＮｏｒＹＩ（ｍ，ｎ）が求まったならば、ステップＳ６０５に進む。
【００８５】
ステップＳ６０５では、ＣＰＵ１５は、正規化した輝度の積算値ＮｏｒＹＩ（ｍ，ｎ）と所定値ＬｏｗＴｈｒＹＩとの比較を行い、この所定値ＬｏｗＴｈｒＹＩより小さい値のものを判定に用いないようにする。この所定値ＬｏｗＴｈｒＹＩによる足切りは、センサー５からの出力に含まれるノイズによる誤判定を防ぐためのものである。そのため、所定値ＬｏｗＴｈｒＹＩは、ノイズによって生じる成分による値よりやや大きい値に設定される。
【００８６】
ステップＳ６０５の判定の結果、正規化した輝度の積算値ＮｏｒＹＩ（ｍ，ｎ）が所定値ＬｏｗＴｈｒＹＩより小さい場合は、ステップＳ６０９へ進む。一方、正規化した輝度の積算値ＮｏｒＹＩ（ｍ，ｎ）が所定値ＬｏｗＴｈｒＹＩ以上の場合はステップＳ６０６へ進む。
【００８７】
ステップＳ６０６では、ＣＰＵ１５は、処理の対象としているＡＦ枠が画面の上部の枠か否かの判定をカメラの姿勢も考慮して行う。例えば、カメラが正位置（横位置）で図５（ｂ）に示すＡＦ枠（ＡｉＡＦ３×３点）であれば、００枠、０１枠、０２枠、１０枠、１１枠、１２枠を上部のＡＦ枠とする。また、図５（ｃ）に示すＡＦ枠（ＡｉＡＦ７×９点）であれば、００枠から５６枠までを上部のＡＦ枠とする。
【００８８】
撮像装置１が縦位置で左側が上側であれば、図５（ｂ）に示すＡＦ枠（ＡｉＡＦ３×３点）の左側２列、図５（ｃ）に示すＡＦ枠（ＡｉＡＦ７×９点）の左側５列を上部のＡＦ枠とする。縦位置で右側が上側の場合は、同様に図５（ｂ）に示すＡＦ枠（ＡｉＡＦ３×３点）の右側２列、図５（ｃ）に示すＡＦ枠（ＡｉＡＦ７×９点）の右側５列を上部のＡＦ枠とする。
【００８９】
また、図５（ａ）に示すように、中央に１点のＡＦ枠が設定される場合や任意の位置に１点のＡＦ枠が設定される場合、顔検出結果に基づいて１点のＡＦ枠が設定される場合を含むＡＦ枠が１点の場合は、そのＡＦ枠が画面上部のＡＦ枠として取り扱う。
【００９０】
ステップＳ６０６で画面上部の枠であると判定した場合は、ステップＳ６０８へ進み、ＣＰＵ１５は、ＮｏｒＹＩ（ｍ，ｎ）をＳｕｍＹＩに加算し、Ｎｕｍ＿ＳｕｍＹＩをカウントアップする。
【００９１】
一方、ステップＳ６０６で画面上部の枠でないと判定した場合は、ステップＳ６０７へ進み、ＣＰＵ１５は、ＮｏｒＹＩ（ｍ，ｎ）をＳｕｂＹＩに加算し、Ｎｕｍ＿ＳｕｂＹＩをカウントアップする。ＳｕｍＹＩ・ＳｕｂＹＩは、画面上部下部の正規化された輝度の積算値の積和、Ｎｕｍ＿ＳｕｍＹＩ・Ｎｕｍ＿ＳｕｂＹＩは、画面上部下部の積和された枠の数である。
【００９２】
このように画面の上部と下部のＡＦ枠で得られた輝度の積算値を区別する理由は、画面の下側の障害物による誤判定を防止するためである。例えば、宴席でのスナップショットなどでテーブルに置かれたビール瓶やカップなどでの反射光により、画面下部のＡＦ枠の輝度値の積算値が大きくなる。その値でスキャン時のＡＦ補助光の発光量を制御した場合にビール瓶やカップなどより遠方の主被写体である人物への照射量が不足するような弊害があり、それを防止するためである。
【００９３】
ステップＳ６０９では、ＣＰＵ１５は、全てのＡＦ枠ついてステップＳ６０３〜ステップＳ６０８の処理が終了したか否かを判定する。全てのＡＦ枠についての処理が終了していないと判定した場合、ステップＳ６２０へ進み、枠位置を次のＡＦ枠に更新した後、ステップＳ６０３へ戻って処理を継続する。
【００９４】
一方、全ての枠についての処理が終了したと判定した場合はステップＳ６１０に進み、下式に従い、ＡＦ枠内の正規化された輝度の積算値の平均値ＡｖｅＹＩを求める。但し、Ｎｕｍ＿ＳｕｍＹＩが０の場合はＡｖｅＹＩ＝０とする。
ＡｖｅＹＩ＝ＳｕｍＹｉ÷Ｎｕｍ＿ＳｕｍＹＩ
【００９５】
次に、ステップＳ６１１では、ＣＰＵ１５は、ステップＳ６１０で算出されたＡｖｅＹＩが所定値より大きいか否か判定する。ＡｖｅＹＩが所定値より大きいと判定した場合はステップＳ６１３へ進む。一方、ＡｖｅＹＩが所定値より大きくないと判定した場合はステップＳ６１２へ進み、ＡｖｅＹＩを下式から求め直す。但し、Ｎｕｍ＿ＳｕｂＹＩが０の場合は、ＡｖｅＹＩ＝０とする。
ＡｖｅＹＩ＝ＳｕｂＹｉ÷Ｎｕｍ＿ＳｕｂＹＩ
【００９６】
これは画面上部の値が小さく、ノイズの可能性がある場合を想定したものである。画面全体で被写体が遠方にありＡＦ補助光が届かない場合や、画面下部のＡＦ枠を含む全てのＡＦ枠内の輝度の積算値が小さくなった場合は、上部のＡＦ枠内の輝度の積算値のみでスキャン時のＡＦ補助光の発光量の制御を行っても支障がない。一方、画面の下部にしか被写体がない場合（上部のＡＦ枠内の被写体は全て遠方のＡＦ補助光が届かない距離にある場合）には、画面下部の被写体が飽和する可能性がある。そこで、ＡｖｅＹＩを求め直し、画面下部のＡＦ枠内の輝度の積算値によりスキャン時のＡＦ補助光の発光量の制御を行うようにする。
【００９７】
ステップＳ６１３では、ＣＰＵ１５は、合焦位置検出時のＡＦ補助光発光時の電流値を求める。具体的には、ステップＳ６１０またはＳ６１２で求めたＡｖｅＹＩと、測定時のＡＦ補助光発光時の電流Ｉｍｅａｓｕｒｅと、輝度の積算値の目標値ＹＩＴａｒｇｅｔから、スキャン時のＡＦ補助光を発光させるための電流値Ｉｓｃａｎを下式で求める。但し、ＡｖｅＹＩ＝０の場合は、Ｉｓｃａｎ＝最大電流値とする。
Ｉｓｃａｎ＝Ｉｍｅａｓｕｒｅ×ＹＩＴａｒｇｅｔ÷ＡｖｅＹＩ
【００９８】
なお、目標値ＹＩＴａｒｇｅｔは、ステップＳ３でＡＥ処理されているので常に一定値で構わないが、ＡＥ処理結果により変更するようにしても構わない。
【００９９】
ステップＳ６１４では、ＣＰＵ１５は、ステップＳ６１３で算出したＡＦ補助光発光時の電流値が最大電流値を超えているか否かを判定し、超えていると判定した場合はステップＳ６１５に進む。一方、超えていない場合にはリターンする。
【０１００】
ステップＳ６１５では、ＣＰＵ１５は、スキャン時にＡＦ補助光を発光させるための電流値Ｉｓｃａｎを最大値（最大電流値）に設定する。一般に、ＡＦ補助光としてＬＥＤを使用している場合は、ある電流量の範囲においては電流量と発光光量が比例するので、電流量を決定することで、ＡＦ補助光の発光光量を決定することが可能である。
【０１０１】
このようにして決定したスキャン時のＡＦ補助光の発光量（電流）でＡＦ補助光を発光させてスキャンしても合焦しなかった場合は、発光量（電流）を再設定して、スキャンをやり直すことはしない。なぜなら、合焦しなかった原因がＡＦ補助光の発光量以外の可能性もあるので、再設定することにより必ず合焦する保証がなく、また再設定によりスキャンをやり直しことで、レリーズタイムラグが長くなる弊害が生じるからである。
【０１０２】
上記第１の実施形態によれば、ＡＦ枠内の輝度の積算値の平均値ＡｖｅＹＩと、測定時のＡＦ補助光発光時の電流Ｉｍｅａｓｕｒｅと、輝度の積算値の目標値ＹＩＴａｒｇｅｔから、スキャン時のＡＦ補助光を発光させるための電流値Ｉｓｃａｎを決定する。これにより、短時間に補助発光手段の発光量を決めて、低照度で被写体が近い場合でも、良好な焦点調節が可能になる。
【０１０３】
［第２の実施形態］
本発明の第２の実施形態は、上記第１の実施形態に対して、画面上部のＡＦ枠内の輝度の積算値の平均値が所定値より小さい場合の処理が異なる。本実施の形態のその他の要素は、上述した第１の実施の形態（または図１）の対応するものと同一なので、その説明を省略する。
【０１０４】
図７は、本発明の第２の実施形態におけるスキャン時のＡＦ補助光発光電流の設定処理の流れを示すフローチャートである。
【０１０５】
図７のステップＳ６０１〜ステップＳ６０６は、図６のステップＳ６０１〜ステップＳ６０６と同様である。そして、ステップＳ６０６で画面上部の枠であると判定した場合は、ステップＳ６０８へ進む一方、画面上部の枠でないと判定された場合には、ステップＳ６０９へ進む。つまり、図７の処理では図６のステップＳ６０７が存在しない。
【０１０６】
図７のステップＳ６０８〜ステップＳ６１１は、図６のステップＳ６０８〜ステップＳ６１１と同様である。
【０１０７】
ステップＳ６１１でＡｖｅＹＩが所定値より大きいと判定した場合は、ステップＳ６１３へ進む一方、ＡｖｅＹＩが所定値より大きくないと判定した場合はステップＳ７０１へ進む。
【０１０８】
ステップＳ７０１では、ＣＰＵ１５は、スキャン時にＡＦ補助光を発光させるための電流値を所定の電流値または最大電流値に設定する。これは、画面上部の値が小さくノイズの可能性がある場合は、その値によりスキャン時のＡＦ補助光の発光量の制御を行い、所定の値に制御したほうが好ましいからである。
【０１０９】
図７のステップＳ６１３〜ステップＳ６１５は、図６のステップＳ６１３〜ステップＳ６１５と同様である。
【０１１０】
上記第２の実施形態によれば、第１の実施形態と同様に、短時間に補助発光手段の発光量を決めて、低照度で被写体が近い場合でも、良好な焦点調節が可能になる。
【０１１１】
［第３の実施形態］
本発明の第３の実施形態は、上記第１の実施形態に対して、図６のステップＳ６０５の判定に用いる所定値ＬｏｗＴｈｒＹＩを図３のステップＳ３０３で設定した測定時のＡＦ補助光発光電流値により変える点が異なる。本実施の形態のその他の要素は、上述した第１の実施の形態（または図１）の対応するものと同一なので、その説明を省略する。
【０１１２】
図８は、本発明の第３の実施形態におけるスキャン時のＡＦ補助光発光電流の設定処理の流れを示すフローチャートである。
【０１１３】
図８のステップＳ６０１〜ステップＳ６０４は、図６のステップＳ６０１〜ステップＳ６０４と同様である。
【０１１４】
次に、ステップＳ８０１では、所定値ＬｏｗＴｈｒＹＩを図３ステップＳ３０３で設定した測定時のＡＦ補助光発光電流値により設定する。基準の測定時のＡＦ補助光発光電流値ＩｍｅａｓｕｒｅＢａｓｅに対する所定値ＬｏｗＴｈｒＹＩｂａｓｅを予め定めておく。そして、設定された測定時のＡＦ補助光発光電流値Ｉｍｅａｓｕｒｅと基準の電流値ＩｍｅａｓｕｒｅＢａｓｅの比に基づいて、次式により所定値ＬｏｗＴｈｒＹＩを決定する。
ＬｏｗＴｈｒＹＩｂａｓｅ＝ＬｏｗＴｈｒＹＩｂａｓｅ×√（Ｉｍｅａｓｕｒｅ÷ＩｍｅａｓｕｒｅＢａｓｅ）
【０１１５】
ステップＳ６０５では、ＣＰＵ１５は、正規化した輝度の積算値ＮｏｒＹＩ（ｍ，ｎ）と、ステップＳ８０１で設定された所定値ＬｏｗＴｈｒＹＩとの比較を行う。図８のステップＳ６０６〜ステップＳ６１１は、図６のステップＳ６０６〜ステップＳ６１１と同様である。
【０１１６】
ステップＳ６１１でＡｖｅＹＩが所定値より大きいと判定した場合は、ステップＳ６１３へ進む一方、ＡｖｅＹＩが所定値より大きくないと判定した場合は、ステップＳ８０２へ進む。
【０１１７】
ステップＳ８０２では、ＣＰＵ１５は、画面上部のＡＦ枠のうちで最も大きい正規化された輝度の積算値を選択し、これをＡｖｅＹＩとして、ステップＳ６１３へ進む。すなわち、画面上部のＡＦ枠のうちで最も大きい正規化された輝度の積算値を用いてスキャン時のＡＦ補助光を発光させるための電流値を決定する。このようにする理由は、画面上部の一部の狭い領域にのみ被写体が存在する場合でも適正なＡＦ補助光の発光量を設定するためである。ひとつのＡＦ枠内にしか被写体がない場合は、そのＡＦ枠内の被写体はＡＦ補助光の照射によって枠内の輝度値の積算値が大きくても、他のＡＦ枠内の輝度の積算値が小さいため平均値としては小さくなる。そのため、平均値でスキャン時のＡＦ補助光を発光させるための電流値を決定した場合、被写体自体は過剰な照射を受け、そのＡＦ枠の信号は飽和して良好な焦点調節が困難になる。画面上部のＡＦ枠のうちで最も大きい正規化された輝度の積算値を用いてスキャン時のＡＦ補助光を発光させるための電流値を決定することで、被写体のあるＡＦ枠の露出を適正することが有効となる。
【０１１８】
図８のステップＳ６１３〜ステップＳ６１５は、図６のステップＳ６１３〜ステップＳ６１５と同様である。
【０１１９】
上記第３の実施形態によれば、点光源被写体と照明された通常被写体が混在する場合などにおいても、より正確な焦点調節が可能になる。
【０１２０】
上記第１〜第３の実施形態では、コンパクトタイプのデジタルカメラを例に説明したが、本発明は、デジタルビデオカメラやデジタル一眼レフのライブビュー時のＡＦに適用可能である。
【０１２１】
また、本発明は、以下の処理を実行することによっても実現される。即ち、上述した実施形態の機能を実現するソフトウェア（プログラム）を、ネットワークまたは各種記憶媒体を介してシステム或いは装置に供給し、そのシステム或いは装置のコンピュータ（またはＣＰＵやＭＰＵ等）がプログラムを読み出して実行する処理である。
【符号の説明】
【０１２２】
１  撮像装置
１３  ＡＥ処理回路
１４  スキャンＡＦ処理回路
１５  ＣＰＵ
２４  操作ＳＷ
３２  ＡＦ補助光駆動回路
３３  ＡＦ補助光発光部
【図１】
2014126791.tif 000003
【図２】
2014126791.tif 000004
【図３】
2014126791.tif 000005
【図４】
2014126791.tif 000006
【図５】
2014126791.tif 000007
【図６】
2014126791.tif 000008
【図７】
2014126791.tif 000009
【図８】
2014126791.tif 000010